(57)【要約】      （修正有）【課題】プラグ付き電子機器を提供する。【解決手段】電子機器６は、収容空間５１を有するケース５と、ケース５と組合された接続部２と、収容空間５１に収容された回路基板３を備える。接続部２は、第一面２１と、第二面と、少なくとも２つの穿孔２３と、少なくとも２つの挿入部２４を備える。第一面２１および第二面は、互いに対向している。少なくとも２つの穿孔２３は、第一面２１および第二面を貫通している。少なくとも２つの挿入部２４は、第一面２１に固定され、第一面２１から外部に突出し、対応する穿孔２３と一直線上に配置されている。回路基板３は、少なくとも２つの導電端子３１を備える。導電端子３１は、接続部２の第二面から対応する穿孔２３を通って貫通し、対応する挿入部２４に収受され、対応する挿入部２４から部分的に突出している。【選択図】図２
0003206949.tif 000002
【実用新案登録請求の範囲】
【請求項１】
プラグ付き電子機器であって、前記電子機器は、
収容空間を有するケースと、前記ケースと組合された接続部と、収容空間に収容された回路基板を備え、
前記接続部は、第一面と、第二面と、少なくとも2つの穿孔と、少なくとも2つの挿入部を備え、
前記第一面および前記第二面は、互いに対向し、
少なくとも2つの前記穿孔は、前記第一面および前記第二面を貫通し、
少なくとも2つの前記挿入部は、前記第一面に固定され、前記第一面から外部に突出し、対応する穿孔と一直線上に配置され、
回路基板は、少なくとも2つの導電端子を備え、
前記導電端子は、前記接続部の前記第二面から対応する前記穿孔を通って貫通し、対応する前記挿入部に収受され、対応する前記挿入部から部分的に突出している電子機器。
【請求項２】
前記ケースは、前記収容空間に対応したエントランスをさらに備え、
前記接続部は、前記ケースと組み合わせた場合、前記ケースの前記エントランスが前記接続部に収容されている、請求項１に記載の電子機器。
【請求項３】
少なくとも2つの前記挿入部のそれぞれは、平板と細長スロットを備え、
前記細長スロットは、対応する平板に形成され、対応する穿孔と一直線上にに配置され、
少なくとも一つのスロット開口部は、前記平板の少なくとも一つの面に形成され、
前記導電端子は、対応する前記スロット開口部から突出している、請求項１に記載の電子機器。
【請求項４】
前記導電端子の幅は、前記平板の厚さより大きい、請求項３に記載の電子機器。
【請求項５】
前記回路基板は、本体をさらに備え、
少なくとも2つの前記導電端子は、互いに独立し、前記導電端子は前記本体の側面と接続され、前記側面から外部に突出した、請求項１に記載の電子機器。
【請求項６】
前記接続部は、第一係合部をさらに備え、
前記回路基板は、第二係合部をさらに備え、
前記第一係合部は、前記接続部の前記第二面上に配置され、
前記第二係合部は、前記回路基板の前記本体の前記側面上に配置され、
前記第一係合部および前記第二係合部は、前記接続部および前記回路基板が組み合って一体となるように互いに係合している、請求項５に記載の電子機器。
【請求項７】
前記第一係合部は、少なくとも2つの前記穿孔の間に配置され、
前記第二係合部は、少なくとも2つの前記導電端子の間に配置されている、請求項６に記載の電子機器。
【請求項８】
前記第一係合部は、バルジであり、前記第二係合部は、２つの弾力性のあるクランプアームを備える、請求項６に記載の電子機器。
【請求項９】
前記接続部は、絶縁材で作られ、少なくとも2つの前記挿入部は、前記接続部と一体的に形成されている、請求項１に記載の電子機器。
【請求項１０】
前記回路基板の少なくとも2つの前記導電端子および前記接続部は、協同して前記電子機器のプラグを成している、請求項１に記載の電子機器。
【考案の詳細な説明】
【技術分野】
【０００１】
本考案は、電子機器、より具体的にはプラグ付き電子機器に関する。
【背景技術】
【０００２】
科学技術の発展に従い、様々な電子機器が日常生活ににおいて不可欠な機器となっている。一般的に、電子機器には回路基板が搭載されている。回路基板は、回路基板の電子部品へ電力供給するための電気エネルギーを取得するために外部電源と電気的に接続される。従来、回路基板および外部電源は、電子機器のプラグを外部電源(例えば、商用電源)のソケットに挿入することにより互いに接続される。
【０００３】
従来、電子機器のプラグおよび内部回路基板は、ジャンパ線を介して互いに電気的に接続されている。図１は、ジャンパ線を介した、プラグおよび電子機器の回路基板の接続を概略的に示す。ジャンパ線11の第一端部は、プラグ10の導電端子12の第一端部に溶接される。ジャンパ線11の第二端部は、回路基板13のはんだ箇所に溶接される。周知のように、ジャンパ線11の使用は、製造コストおよび前記電子機器1の組立ての複雑さを増大させる。また、インピーダンスが大きくなるため、送電における電力損失も増大する。
【０００４】
従って、上記の欠点を克服するために、改良されたプラグ付き電子機器を提供する必要がある。
【考案の概要】
【０００５】
本考案の目的は、プラグ付き電子機器を提供することである。該電子機器は簡略な構造を有し、簡単に組み立てられる。該電子機器の製造プロセスは、時間を短縮するものであり、従って、製造コストを低減するものである。また、インピーダンスが小さくなるため、送電における電力損失も低減される。
【０００６】
本考案の一態様によれば、プラグ付き電子機器が提供される。電子機器は、ケースと、接続部と、回路基板を備える。ケースは、収容空間を備える。接続部は、ケースと組み合わされる。接続部は、第一面と、第二面と、少なくとも2つの穿孔と、少なくとも2つの挿入部を備える。第一面および第二面は、互いに対向している。少なくとも2つの穿孔は、第一面および第二面を貫通している。少なくとも2つの挿入部は、第一面に固定されており、第一面から外部に突出し、対応する穿孔と一直線に並んでいる。回路基板は、収容空間に収められ、少なくとも2つの導電端子を備える。導電端子は、接続部の第二面から対応する穿孔を通って貫入しており、対応する挿入部内に収受され、対応する挿入部の外部に一部が突出している。
【０００７】
本考案の上記の内容は、以下の詳細な説明と付随する図面を検討した後に、当業者にとって、より容易に明らかになるだろう。
【図面の簡単な説明】
【０００８】
【図１】図1は、ジャンパ線を介した、プラグおよび電子機器の回路基板の接続を概略的に示す。
【図２】図2は、考案の一実施形態に係るプラグ付き電子機器の概略的な分解図である。
【図３】図3Aは、回路基板および図2の電子機器の接続部の関係の概略的な分解図である。図3Bは、回路基板および図2の電子機器の接続部の組合せの概略的な斜視図である。図3Cは、図3Bの接続部のA-A線に沿った概略的な断面図である。
【図４】図4は、本考案の一実施形態に係る電子機器の回路基板の概略的な分解図である。
【図５】図5は、本考案の別の実施形態に係るプラグ付き電子機器の概略的な分解図である。
【考案を実施するための形態】
【０００９】
本考案は、以下の実施形態を参照して具体的に説明する。本考案の好ましい実施形態における以下の説明は、例示及び説明のみを目的として、本明細書に提示されていることに留意すべきである。それは、開示された正確な形態が網羅的でなくそれらに限定されるものでもない。
【００１０】
図2は、考案の一実施形態に係るプラグ付き電子機器の概略的な分解図である。図3Aは、回路基板および図2の電子機器の接続部の関係の概略的な分解図である。図3Bは、回路基板および図2の電子機器の接続部の組合せの概略的な斜視図である。
【００１１】
図2、3Aおよび3Bに示すように、電子機器6は、ケース5、接続部2および回路基板3を備える。ケース5は、収容空間51およびエントランス52を備える。回路基板3は、収容空間51に収容される。接続部2をケース5と組み合わせた場合、ケース5のエントランス52は接続部2に収容される。接続部2は、第一面21、第二面22、少なくとも2つの穿孔23および少なくとも2つの挿入部24を備える。第一面21および第二面22は、互いに対向している。少なくとも2つの穿孔23は、第一面21および第二面22を貫通している。少なくとも2つの挿入部24は、第一面21に固定されており、第一面21から外部に突出し、対応する穿孔２３と一直線に並んでいる。また、各挿入部24は、平板241および細長スロット242を備えている。細長スロット242は、平板241に形成され、対応する穿孔23と一直線上に並んでいる。また、２つのスロット開口部243は、平板241の対向面の間に配置される。回路基板3は、本体30および少なくとも2つの導電端子31を備える。少なくとも2つの導電端子31は、本体30の側面32と接続され、本体30の側面32から外に突出している。
【００１２】
第一面および第二面は、互いに対向している。少なくとも2つの穿孔は、第一面および第二面を貫通している。少なくとも2つの挿入部は、第一面に固定されており、第一面から外部に突出し、対応する穿孔と一直線に並んでいる。回路基板は、収容空間に収められ、少なくとも2つの導電端子を備える。導電端子は、接続部の第二面から対応する穿孔を通って貫通しており、対応する挿入部内に収受され、一部が対応する挿入部の外に突出している。回路基板3の導電端子31は、接続部の第二面22から対応する穿孔を通って第一面21へ貫通しており、対応する挿入部内に収受される。また、導電端子31は、対応する挿入部24の対応するスロット開口部243から一部が外に突出している。本実施形態では、回路基板3の導電端子31および接続部2は、協同してプラグ4を成す。外部電源のソケット(図示せず)に挿入された場合、回路基板3の導電端子31はソケットの対応する導電部(図示せず)と直接接続され、電子機器6は外部電源から電力を受け取ることができる。特に、ジャンパ線を使用する必要がない。
【００１３】
本実施形態では、接続部2は絶縁材で作られる。また、挿入部24は、接続部2と一体的に形成される。あるいは、別の実施形態では、挿入部24は、接続部2の第一面に超音波溶接プロセス固定される。挿入部24は、回路基板3の導電端子31を固定および保護するために用いられる。また、導電端子31が頻繁にソケットに挿入またはソケットから取り外された場合でも、挿入部24によって、導電端子31の変形や破損を引き起こす可能性が最小化される。また、挿入部24は、導電端子31がソケットの導電部と直接接触するように誘導することができる。回路基板3の導電端子31は、互いに独立し、回路基板3の本体30の側面32から外に突出している。また、導電端子31は、互いに平行である。同様に、接続部2の挿入部24は互いに独立し、互いに平行である。
【００１４】
図3Cは、図3Bの接続部のA-A線に沿った概略的な断面図である。図3Cに示すように、回路基板3の導電端子31は、挿入部24の対応する細長スロット242内に収受される。また、各導電端子31は、少なくとも一つの対応する挿入部24のスロット開口部243から一部が突出している。より好ましくは、各導電性端子31は、対応する挿入部24の２つのスロット開口部243から一部が突出している。回路基板3の導電端子31は、幅D1を有し、挿入部24の平板241は、厚さD2有し、幅D1は厚さD2より大きい。
【００１５】
図2、3Aおよび3Bに示すように、接続部2は第一係合部25をさらに備え、回路基板3は第二係合部33をさらに備える。第一係合部25は、接続部2の第二面22上に配置される。第二係合部33は、回路基板3の本体30の側面32上に配置される。接続部2の第一係合部25と回路基板3の第二係合部33の係合によって、接続部2および回路基板3はしっかりと組み合う。その結果、回路基板3の導電端子31は、挿入部24の対応する細長スロット242内によりしっかりと収受される。好ましくは、限定されないが、第一係合部25は、接続部2と一体的に形成され、第二係合部33は、回路基板3と一体的に形成される。一実施形態では、第一係合部25は少なくとも2つの穿孔23の間に配置され、第二係合部33は少なくとも2つの導電端子31の間に配置される。一実施形態では、第一係合部25はバルジであり、第二係合部33は２つの弾力性のあるクランプアームを備える。なお、第一係合部25および第二係合部33の構造および位置は、実用的要件に従い変化してよい。
【００１６】
図4は、本考案の一実施形態に係る電子機器の回路基板の概略的な分解図である。図4に示すように、回路基板3は、本体30と、第一導電端子311と、第二導電端子312と、第一絶縁膜34と、第二絶縁膜35と、少なくとも一つの電子部品36を備える。本体30は、単層配線構造または多層配線構造である。また、本体30は、剛性配線構造である。第一導電端子311の第一端部および第二導電端子312の第一端部は、本体30の側面32と接続される。いくつかの他の実施形態では、第一導電端子311の第一端部および第二導電端子312の第一端部は、クランプ構造(図示せず)を有する。回路基板3の本体30がクランプ構造により固定されるされる場合、第一導電端子311および第二導電端子312は、本体30と結合され、対応する本体30の接点と接触する。その結果、第一導電端子311および第二導電端子312は、電気的に本体30に接続される。第一絶縁膜34および第二絶縁膜35は、本体30の２つの対向面上に取り付けられる。好ましくは、限定されないが、第二係合部33の上面および底面は、第一絶縁膜34および第二絶縁膜35によってそれぞれ覆われる。第一絶縁膜34は、複数の中空領域を有する。電子部品36は、第一絶縁膜34の中空領域を貫通し、本体30上に溶接される。なお、回路基板3の構造、および本体30と導電端子31に接続するための構造は、実用的要件に従い変化してよい。
【００１７】
図5は、本考案の別の実施形態に係るプラグ付き電子機器の概略的な分解図である。図2のものに対応する構成部品および要素は、同じ数字によって指定し、詳細な説明は省略する。本実施形態では、電子機器6'の接続部2'は、実質的にカバープレートである。接続部2'をケース5'と組み合わせた場合、ケース5'のエントランス52'は、接続部2'に収容される。また、ケース5'は、光透過性材料で作られ、回路基板の電子部品3の一つは発光ダイオードなどの固体発光素子である。このような場合、電子機器6'は、小型ランプまたは終夜灯として用いられる。なお、プラグ4の外形は、限定されるものではない。いくつかの他の実施形態では、挿入部24は互いに平行ではなく、導電端子31は互いに平行ではない。従って、プラグ4は各国の規制を遵守するように設計される。電子機器6'の例としては、これらに限定されないが、電力変換装置、充電器、電源コネクタ、小型ランプ、終夜灯、電子殺虫機、または壁掛け式の電子機器が挙げられる。
【００１８】
上記の説明から明らかなように、本考案はプラグ付き電子機器を提供する。上記電子機器は、簡略な構造を有し、簡単に組み立てられる。上記電子機器の製造プロセスは、時間を節約するものであり、従って製造コストを低減するものである。また、インピーダンスが小さくなるため、送電における電力損失も低減される。
【００１９】
本考案は、現在最も実用的かつ好ましい実施形態と考えられるものに関して説明してきたが、本考案は、開示された実施形態に限定される必要はないことを理解すべきである。それどころか、添付の特許請求の範囲の精神及び範囲内に含まれる様々な修正及び類似の構成を包含することが意図され、すべてのそのような修正及び類似の構成を包含するように最も広い解釈に従うべきである。
【図１】
0003206949.tif 000003
【図２】
0003206949.tif 000004
【図３】
0003206949.tif 000005
【図４】
0003206949.tif 000006
【図５】
0003206949.tif 000007